(57)【要約】      （修正有）【課題】リールの形態で巻かれるように構成されることにより、体積を減らし、携帯が容易であり、様々な大きさで展開が可能であり、下端に固定ピンが装着されて転倒を防止して、安全性が向上された屋外用ウインドシールド機構を提供する。【解決手段】屋外用ウインドシールド機構は、両末端に第１支持棒１２０がそれぞれ備えられた支持板１００と、一端が第１支持棒の下端と結合され、他端が地面に固定されて第１支持棒を地面に立てれるように固定させる固定アンカー２００と、第１支持棒の内部に巻き取られた状態で設置され、第１支持棒の外部に一定の力を加えて引っ張ると広がり、力を除去すると、第１支持棒の内部に再び巻き取られるシールド手段３００とを含む。支持板１００は、少なくとも２つ以上の相互折畳み可能なパネル１１０からなり、一端が相互に回転され、折畳めるようにヒンジ軸１１１で結合される。【選択図】図１
0003211432.tif 000002
【実用新案登録請求の範囲】
【請求項１】
両末端に第１支持棒（１２０）がそれぞれ備えられた支持板（１００）と、
一端が前記第１支持棒（１２０）の下端と結合され、他端が地面に固定されて前記第１支持棒（１２０）を地面に立てれるように固定させる固定アンカー（２００）と、
前記第１支持棒（１２０）の内部に巻き取られた状態で設置され、前記第１支持棒（１２０）の外部に一定の力を加えて引っ張ると広がり、力を除去すると、前記第１支持棒（１２０）の内部に再び巻き取られるシールド手段（３００）とを含み、
前記シールド手段（３００）は、
前記第１支持棒（１２０）の内部に自転可能に装着される回転軸（３１０）と、
前記回転軸（３１０）に巻き取られるシールド部材（３２０）と、
外力によって、前記シールド部材（３２０）が展開されるときに、前記回転軸（３１０）が一方向に回転されることによって、圧縮され、外力が除去されると、弾性復元力によって前記回転軸（３１０）を他方向に回転させて、前記シールド部材（３２０）を、前記回転軸（３１０）に巻き取られるようにする弾性部材（３３０）とを含み、
前記支持板（１００）は、少なくとも２つ以上の相互折畳み可能なパネル（１１０）からなり、一端が相互に回転され、折畳めるようにヒンジ軸（１１１）によってヒンジ結合され、他端には前記第１支持棒（１２０）がそれぞれ具備されることを特徴とする屋外用ウインドシールド機構。
【請求項２】
前記支持板（１００）は、上下に積層可能に少なくとも２つ以上からなり、
いずれかの支持板（１００）の第１支持棒（１２０）の下端に下方向に結合溝（１２２）が開放形成され、
他のいずれかの支持板（１００）の第１支持棒（１２０）の上端には、前記結合溝（１２２）に挿入される結合突起（１２１）が突出形成されることを特徴とする請求項１に記載の屋外用ウインドシールド機構。
【考案の詳細な説明】
【技術分野】
【０００１】
本考案は、屋外用ウインドシールド機構に関するものであり、特に屋外でバーナーなどを使用するときに、風を遮断するために使用される屋外用ウインドシールド機構に関するものである。
【背景技術】
【０００２】
周知のように、ポータブルガスレンジは、屋内より、屋外で多く使用されているため、自然の風からガスレンジの火力を保護し、熱損失を最小限に抑えながら、食べ物の調理を円滑にするためのウインドシールドが必須的に使用されている。
【０００３】
従来のように、屋外でのガスレンジで食品を調理するとき、周辺から吹いてくる風からガスレンジの火力を保護するために使用されるウインドシールドは、様々な形で製作／市販されている。
【０００４】
前記のようなウインドシールドの中で購入価格が安く、構造的に簡単な屏風式ウインドシールドを多く使用しているが、このような屏風式ウインドシールドは、ガスレンジの外郭を包み込むように構成されている。
【０００５】
このような構成を有するウインドシールドは、ガスレンジが置かれた床に設置して、調理容器の一部を包むように構成されている。
【０００６】
前記のように、ウインドシールドは、遮断範囲を広げるために高さが高く、長さが長く形成され、これにより、体積が大きくなり、携帯が不便な問題点があった。
【０００７】
また、床に立てて設置する場合、風によって転倒される場合が頻繁に起きるなど、さまざまな安全事故が発生したこともある。
【先行技術文献】
【特許文献】
【０００８】
【特許文献１】韓国登録実用第２０−０３９９９２１号公報
【考案の概要】
【考案が解決しようとする課題】
【０００９】
本考案は前記した問題点を解決するためのものであり、リールの形態で巻かれるように構成されることにより、体積を減らし、携帯が容易であり、様々な大きさで展開が可能であり、下端に固定ピンが装着されて転倒を防止することにより、安全性が向上された屋外用ウインドシールド機構を提供することにその目的がある。
【課題を解決するための手段】
【００１０】
前記の目的を達成するために、本考案の屋外用ウインドシールド機構は、両末端に、第１支持棒１２０がそれぞれ備えられた支持板１００と、一端が前記第１支持棒１２０の下端と結合され、他端が地面に固定されて前記第１支持棒１２０を地面に立てれるように固定させる固定アンカー２００と、前記第１支持棒１２０の内部に巻き取られた状態で設置され、前記第１支持棒１２０の外部に一定の力を加えて引っ張ると広がり、力を除去すると、前記第１支持棒１２０の内部に再び巻き取られるシールド手段３００とを含む。
【００１１】
前記シールド手段３００は、前記第１支持棒１２０の内部に自転可能に装着される回転軸３１０と、前記回転軸３１０に巻き取られるシールド部材３２０と、外力によって、前記シールド部材３２０が展開されるときに、前記回転軸３１０が一方向に回転されることによって、圧縮され、外力が除去されると、弾性復元力によって前記回転軸３１０を他方向に回転させて、前記シールド部材３２０を、前記回転軸３１０に巻き取られるようにする弾性部材３３０とを含む。
【００１２】
前記支持板１００は、少なくとも２つ以上の相互折畳み可能なパネル１１０からなる。
【００１３】
前記支持板１００は、上下に積層可能に少なくとも２つ以上からなり、いずれかの支持板１００の第１支持棒１２０の下端に下方向に結合溝１２２が開放形成され、他のいずれかの支持板１００の第１支持棒１２０の上端には、前記結合溝１２２に挿入される結合突起１２１が突出形成される。
【考案の効果】
【００１４】
以上で説明したような本考案の屋外用ウインドシールド機構は、次のような効果がある。
【００１５】
前記支持板１００が相互にヒンジ結合された２つのパネル１１０からなることにより、前記支持板１００の角度を希望通りに調節することができ、これにより、地面に立てるときにバランスをもっと便利に取ることができる効果を生じる。
【００１６】
また、前記支持板１００の両末端に備えられた前記第１支持棒１２０の内部に、巻き取られた状態の前記シールド手段３００が備えたことにより、未使用のときには体積を縮小して、携帯や保管を容易にし、使用のときには希望の長さだけ展開して、便利に使用することができる効果を生じる。
【００１７】
また、前記第１支持棒１２０に結合溝１２２と結合突起１２１がそれぞれ形成されることにより、支持板１００を複数備えて、希望の高さに積層することができ、多様で、便利に使用できる効果を生じる。
【図面の簡単な説明】
【００１８】
【図１】本考案の実施例に係る屋外用ウインドシールド機構の斜視図である。
【図２】本考案の実施例に係る屋外用ウインドシールド機構の展開された状態の断面図である。
【図３】本考案の実施例に係る屋外用ウインドシールド機構の折れた状態の断面図である。
【図４】本考案の実施例に係る屋外用ウインドシールド機構の回転軸の断面図である。
【図５】本考案の他の実施例に係る屋外用ウインドシールド機構の斜視図である。
【図６】本考案のまた別の実施例に係る屋外用ウインドシールド機構の断面図である。
【考案を実施するための形態】
【００１９】
図１は、本考案の実施例に係る屋外用ウインドシールド機構の斜視図であり、図２は、本考案の実施例に係る屋外用ウインドシールド機構の展開された状態の断面図であり、図３は、本考案の実施例に係る屋外用ウインドシールド機構の折れた状態の断面図であり、図４は、本考案の実施例に係る屋外用ウインドシールド機構の回転軸の断面図であり、図５は、本考案の他の実施例に係る屋外用ウインドシールド機構の斜視図である。
【００２０】
図１乃至図５に示すように、本考案の実施例に係る屋外用ウインドシールド機構は、支持板１００と、固定アンカー２００と、シールド手段３００からなる。
【００２１】
前記支持板１００は、少なくとも２つ以上のパネル１１０からなり、相互折畳み可能にヒンジ結合されて構成される。
【００２２】
本考案の実施例で前記支持板１００は、２つのパネル１１０で構成され、一端が相互に回転され、折畳めるようにヒンジ軸１１１によってヒンジ結合され、他端には円筒形状の第１支持棒１２０がそれぞれ備えられる。
【００２３】
前記第１支持棒１２０は、前記支持板１００の縦方向に長く形成され、内部には、後述する前記シールド手段３００が内蔵されるように空間が形成される。
【００２４】
また、前記第１支持棒１２０の上端には、結合突起１２１が形成され、下端には結合溝１２２が形成される。
【００２５】
前記結合突起１２１と前記結合溝１２２は、前記支持板１００が複数で構成され、上下に積層して使用されるとき、前記第１支持棒１２０を連結するためのものであり、具体的には、いずれかの前記支持板１００の第１支持棒１２０に形成された結合突起１２１は、その上部に積層される他のいずれかの支持板１００の第１支持棒１２０に形成された結合溝１２２に挿入結合される。
【００２６】
また、前記結合溝１２２は、前記固定アンカー２００と結合されるときにも使用される。
【００２７】
具体的には、前記固定アンカー２００は、一般的な釘のように上端に平たい頭部２１０が形成され、下端が細く長く突出形成されたもので、下端を地面に打ち込んで固定設置する。
【００２８】
このような前記固定アンカー２００の上端には、前記結合溝１２２に挿入結合される結合突起２１１が形成される。
【００２９】
即ち、前記第１支持棒１２０は、下端に形成された前記結合溝１２２と、地面に固定された前記固定アンカー２００の前記結合突起２１１が結合されることによって地面に立てるように設置されるものである。
【００３０】
一方、場合によっては、図４に示すように、前記第１支持棒１２０の上端には、前記支持板１００が傾くことを阻止するために、補助ワイヤー４００が備えられる。
【００３１】
前記補助ワイヤー４００は、一端が前記第１支持棒１２０の上端に固定され、他端が地面に固定される。
【００３２】
ここで、前記補助ワイヤー４００の他端には、地面に固定するための別のアンカー４５０が備えられることが好ましい。
【００３３】
また、前記補助ワイヤー４００は、後述する前記シールド手段３００と同様に、前記第１支持棒１２０の内部に自動巻き取り可能に備えられることもできる。
【００３４】
一方、前記シールド手段３００は、前記第１支持棒１２０の内部に巻き取られた状態で設置され、一定の力を加えて引っ張ると広がり、力を除去すると、前記第１支持棒１２０の内部に再び巻き取られることで、具体的には、図４に示すように、回転軸３１０と、シールド部材３２０および弾性部材３３０からなる。
【００３５】
前記回転軸３１０は、円筒形の上下に長い軸として、前記第１支持棒１２０の内部に自転可能に装着される。
【００３６】
前記シールド部材３２０は、耐熱性のある薄いシートの材質から形成され、前記回転軸３１０の外周面に巻き取られる。
【００３７】
即ち、前記シールド部材３２０は、一端が前記回転軸３１０に固定されて、前記回転軸３１０の回転により、前記回転軸３１０の外周面に巻かれたり、外されるように装着される。
【００３８】
また、前記シールド部材３２０の他端には、縦方向に長く、第２支持棒３２１が装着される。
【００３９】
前記弾性部材３３０は、前記回転軸３１０の内部に配置され、螺旋状スプリングからなる。
【００４０】
このような前記弾性部材３３０は、中心部の末端が前記第１支持棒１２０に固定され、外側の末端が前記回転軸３１０と結合される。
【００４１】
これらの前記シールド手段３００は、前記回転軸３１０に巻かれた前記シールド部材３２０を前記第１支持棒２２０から遠ざかる方向に引っ張ると、前記回転軸３１０が一方向に回転されながら、前記シールド部材３２０が展開される。
【００４２】
この時、前記回転軸３１０が一方向に回転されながら、前記弾性部材３３０は、圧縮され、前記シールド部材３２０が、地面または一定の場所に固定される場合、前記弾性部材３３０の弾性復元力によって、前記シールド部材３２０は、きりきりと広げられるようになる。
【００４３】
もし、前記シールド部材３２０を固定せずに外力を除去すると、前記弾性部材３３０の弾性復元力によって前記回転軸３１０は、他の方向に回転するようになり、前記シールド部材３２０は、前記回転軸３１０に巻かれながら前記第１支持棒１２０の内部に挿入される。
【００４４】
一方、前記シールド手段３００は、前記第１支持棒１２０だけでなく、前記第２支持棒３２１にも備えられることができる。
【００４５】
具体的には、図６に示すように、前記第２支持棒３２１の内部に前記回転軸３１０と前記弾性部材３３０がそれぞれさらに備えられ、前記第１支持棒１２０と連結された前記シールド部材３２０の他の末端は、前記第２支持棒３２１に設置された前記弾性部材３３０と連結される。
【００４６】
ここで、場合によっては、前記第１支持棒１２０は、前記支持板１１０のない状態で使用されることもできる。
【００４７】
このように、前記第２支持棒３２１にも前記第１支持棒１２０と連結された前記シールド手段３００が備えられることにより、前記シールド部材３２０の長さをもっと拡張することができ、使用を容易にする効果を生じる。
【００４８】
一方、本考案の実施例による屋外用ウインドシールド機構は、複数を備えて希望の形状に配置することができるが、この時、図１に示すように、隣り合うように配置される前記第２支持棒３２１は、ゴムリング３５０にて連結して、相互結合させることができる。
【００４９】
上記の構成からなる本考案の実施例による屋外用ウインドシールド機構は、前記支持板１００が相互にヒンジ結合された２つのパネル１１０からなることにより、前記支持板１００の角度を希望通りに調節することができ、これにより、地面に立てるときにバランスをもっと便利に取ることができる効果を生じる。
【００５０】
また、前記支持板１００の両末端に備えられた前記第１支持棒１２０の内部に巻き取られた状態の前記シールド手段３００が備えられることにより、未使用時には体積を縮小して、携帯や保管を容易にし、使用時には希望の長さだけ展開して、便利に使用することができる効果を生じる。
【００５１】
また、前記第１支持棒１２０に結合溝１２２と結合突起１２１がそれぞれ形成されることにより、支持板１００を複数備えて、希望の高さに積層することができ、多様で、便利に使用できる効果を生じる。
【００５２】
本考案は、これに限定されず、以下の付属の請求の範囲の思想および領域を逸脱しない範囲内で、当業者によって様々な形態に変形して実施されることができ、したがって、このような変形は、本考案の領域内にあるものと解釈しなければならない。
【符号の説明】
【００５３】
１００  支持板        １１０  パネル
１２０  第１支持棒    １２１  結合突起
１２２  結合溝        ２００  固定アンカー
２１０  頭部            ２１１  結合突起
３００  シールド手段    ３１０  回転軸
３２０  シールド部材    ３３０  弾性部材
４００  補助ワイヤー    ４５０  アンカー
【図１】
0003211432.tif 000003
【図２】
0003211432.tif 000004
【図３】
0003211432.tif 000005
【図４】
0003211432.tif 000006
【図５】
0003211432.tif 000007
【図６】
0003211432.tif 000008